(57)【要約】【課題】要冷蔵食品を買いに出かける際には何時でも簡単に持ち出すことができ、しかもエネルギー消費が特段増加することのない保冷技術を提供する。【解決手段】冷蔵庫本体２のクーラーボックス収納部１２に、前面側から抜取／装着が可能なクーラーボックス３を装着するようにした家庭用冷蔵庫であり、クーラーボックス３は収納部４の上部側が開口し、図示しない要冷蔵食品の上部側からの出し入れが可能になっている。クーラーボックス３の収納部４の底にはアルミニウム板５が敷かれ、その後端側には冷蔵庫本体２の送風ファン７により循環供給される冷風８により冷却可能に畜冷剤６が載置されている。また、クーラーボックス３の上部開口は底側に収納された蓋１０により封止される。一方、クーラーボックス収納部１２は蓋部材１３により開閉される。【選択図】      図２
2004286332.tif 000002
【特許請求の範囲】
【請求項１】
蓋部材により開閉自在に設けられた庫内に、保冷材を備えたクーラーボックスが着脱可能に装着されたことを特徴とする家庭用冷蔵庫。
【請求項２】
庫内に装着されたクーラーボックスの保冷材が、冷蔵庫内を循環する冷気によって冷却可能に構成されたことを特徴とする請求項１記載の家庭用冷蔵庫。
【発明の詳細な説明】
【０００１】
【発明の属する技術分野】
本発明は、主に家庭などにおいて使用される小型冷蔵庫（冷凍冷蔵庫を含む。）に関するものである。
【０００２】
【従来の技術】
肉、魚介類、冷凍食品などの低温保存されることが望ましい食品（以下、要冷蔵食品と云う）を購入などしたときには、急いで家に持ち帰り、冷蔵庫に入れる必要がある。
【０００３】
なお、店舗によっては、氷やドライアイスの無料提供が行われているが、要冷蔵食品を、氷やドライアイスと一緒に買い物袋に入れても、長時間に渡って低温を維持することはできないし、短時間で帰宅できる場合でも、多量の氷やドライアイスが消費されることになり、それらの製造を考えると、多量のエネルギーを消費しており、地球環境保全の観点から好ましいものではない。
【０００４】
また、十分に冷却された畜冷剤が入ったクーラーボックスを持参し、その中に購入した要冷蔵食品を入れて持ち帰ることが、エネルギー消費の観点からは好ましいが、このような方法で要冷蔵食品を冷却して持ち帰るためには、畜冷剤を家庭の冷蔵庫で予め冷却しておく必要があり、冷凍室が狭くなると云った問題点があった。
【０００５】
また、図５に示したように、ペルチェ効果を有する熱電素子２１を備えた可搬型のクーラーボックス３Ｘが提案されている（例えば、特許文献１参照。）。しかし、この手のクーラーボックス３Ｘは、自動車のシガーソケットなどに接続して冷却する手段を備えたものであるので、高価なものとならざるを得ない。
【０００６】
したがって、アウトドアライフを趣味としている一部の人には購入されても、一般の人が購入して使用するまでに至っていない。また、このようなタイプのクーラーボックス３Ｘでは、家に持ち帰った後、要冷蔵食品を家庭用冷蔵庫に移し変える必要があり、面倒であるばかりでなく、移し変える時に食品の温度が上昇して、長期保存性と品質の低下を招くと云った問題点があった。
【０００７】
【特許文献１】
特開平−１３８０４７号（図１）。
【０００８】
【発明が解決しようとする課題】
したがって、要冷蔵食品を買いに出かける際には何時でも簡単に持ち出すことができ、しかもエネルギー消費は特段増加せず、したがって地球環境の保全にも好ましい保冷技術を提供する必要があり、それが解決すべき課題となっていた。
【０００９】
【課題を解決するための手段】
本発明は上記従来技術の課題を解決するため、蓋部材により開閉自在に設けられた庫内に、保冷材を備えたクーラーボックスを着脱可能に装着するようにした第１の構成の家庭用冷蔵庫と、
【００１０】
前記第１の構成の家庭用冷蔵庫において、庫内に装着されたクーラーボックスの保冷材を、冷蔵庫内を循環する冷気によって冷却可能に構成するようにした第２の構成の家庭用冷蔵庫と、
を提供するものである。
【００１１】
【発明の実施の形態】
以下、本発明の一実施形態を図１〜図４に基づいて詳細に説明する。
図１に例示した本発明の家庭用冷蔵庫１００は、製氷室１の右側に着脱可能、すなわち冷蔵庫本体２の前面側から抜取／装着が可能なクーラーボックス３を備えている。
【００１２】
引き把手３Ａを前面部に備えたクーラーボックス３は、図２に示したように収納部４の上部側が開口し、図示しない要冷蔵食品の上部側からの出し入れが可能になっている。また、クーラーボックス３の収納部４の底にはアルミニウム板５が敷かれ、その後端側にはエチレングリコールなどからなる畜冷剤６が載置され、冷蔵庫本体２に装備された送風ファン７により循環供給される、例えば−２０℃程度の冷風８により畜冷剤６を上部側と、前方側から所定の温度まで冷却して、畜冷剤６に冷熱を溜めることができるように構成されている。
【００１３】
また、クーラーボックス３の底側には蓋収納部９が、例えば図４に示したように設けられ、そこに収納してある図示しない蓋１０を引き出し、上部側の左右に設けた一対の蓋収納溝１１Ｌ、１１Ｒに蓋１０の左右両側端を嵌め込み摺動させることにより、収納部４の上部開口を封止することができるように構成されている。
【００１４】
一方、クーラーボックス３が収納される冷蔵庫本体２のクーラーボックス収納部１２は、冷蔵庫本体２の前面部分に図示しないヒンジなどにより回動自在に装着された蓋部材１３により、開閉可能となっている。
【００１５】
すなわち、クーラーボックス３がクーラーボックス収納部１２に装着されていないときには、蓋部材１３がクーラーボックス収納部１２の前面開口部に垂設されてクーラーボックス収納部１２の前面開口部を閉鎖し、クーラーボックス３がクーラーボックス収納部１２に前面側から装着されるときに、クーラーボックス３の後端部側が蓋部材１３に当接して蓋部材１３の下端側が後方に回動して上昇し、クーラーボックス収納部１２の前面側上部に収納され、クーラーボックス収納部１２の前面部が開口する。
【００１６】
したがって、クーラーボックス３がクーラーボックス収納部１２から前面側に引き出されると、蓋部材１３は後端側が下側に回動してクーラーボックス収納部１２の前面開口部に垂設され、それによりクーラーボックス収納部１２の前面開口部は封止され、送風ファン７により循環供給される冷風８が庫外に漏出しない構成となっている（図３参照）。
【００１７】
すなわち、本発明の家庭用冷蔵庫１００においては、蓋収納部９に蓋１０が収納された状態のクーラーボックス３がクーラーボックス収納部１２に装着されている通常使用のときにも、畜冷剤６は送風ファン７が循環供給する冷風８により所定の温度に冷却され、畜冷剤６に冷熱が蓄えられる。
【００１８】
そのため、本発明の家庭用冷蔵庫１００においては、要冷蔵食品を買いに行くときには、クーラーボックス３をクーラーボックス収納部１２から引き出し、蓋１０を底側の蓋収納部９から引き出して上部側の左右一対の蓋収納溝１１Ｌ、１１Ｒに嵌め入れることにより、収納部４の上部開口が封止され、収納部４を畜冷剤６に溜めた冷熱により低温度に保つことが可能になるので、その中に購入した要冷蔵食品を入れて、すなわち低温度に維持して帰宅することが可能である。
【００１９】
しかも、後端側の畜冷剤６に溜めた冷熱を収納部４の前側部分に搬送可能に、収納部４の底には熱伝導率の高いアルミニウム板９が敷かれ、その上に畜冷剤６が載置されているので、収納部４の前側部分に収納した図示しない要冷蔵食品を畜冷剤６に溜めた冷熱により効果的に冷却することができる。
【００２０】
また、帰宅後は蓋１０を左右一対の蓋収納溝１１Ｌ、１１Ｒから引き出して底側の蓋収納部９に収納し、収納部４の上部開口が開口した状態で、クーラーボックス３全体を冷蔵庫本体２のクーラーボックス収納部１２に収納するだけで、収納部４に収納した要冷蔵食品の全てが家庭用冷蔵庫１００に一括収納でき、送風ファン７が循環供給している冷風８により冷却することができる。
【００２１】
すなわち、本発明の家庭用冷蔵庫１００においては、購入してきた要冷蔵食品を、帰宅した後で家庭にある冷蔵庫に一々詰め替える必要がない。そのため、詰め替え時に要冷蔵食品の温度が上昇することもない。
【００２２】
なお、クーラーボックス３にはクーラーボックス収納部１２に装着して使用しているクーラーボックス３が、収納部４に収納した要冷蔵食品を出し入れするときにクーラーボックス収納部１２から突然抜け落ちることがないように、それ自体は従来周知の適宜の脱落防止手段が設けられている。
【００２３】
ところで、本発明は上記実施形態に限定されるものではないので、特許請求の範囲に記載の趣旨から逸脱しない範囲で各種の変形実施が可能である。
【００２４】
例えば、送風ファン７が循環供給する冷風８を介することなく、冷熱発生手段である蒸発器に取り付けられた金属、例えばアルミニウム製のブロックをクーラーボックス収納部１２に設け、そのアルミニウム製のブロックを介してクーラーボックス３の収納部４に設ける畜冷剤６が冷却可能に、アルミニウム製のブロックと畜冷剤６とを接触させて配置するように構成することも可能である。
【００２５】
【発明の効果】
以上説明したように、本発明は蓋部材により開閉自在に設けられた庫内に、保冷材を備えたクーラーボックスを着脱可能に装着するようにした冷蔵庫であるので、肉、魚介類、冷凍食品などの低温保存されることが望ましい要冷蔵食品を買いに出かける際には何時でも簡単に持ち出して使用することができる。
【００２６】
しかも、低温保存して持ち帰った要冷蔵食品の全てが家庭にある冷蔵庫に一括収納できるので、一々詰め替える必要はなく、したがって詰め替え時に要冷蔵食品の温度が上昇することもない。また、エネルギー消費が特段増加することもないので、地球環境の保全と云う観点からも好ましい技術である。
【図面の簡単な説明】
【図１】本発明の家庭用冷蔵庫の構成を示す説明図である。
【図２】クーラーボックスが装着された家庭用冷蔵庫の断面を示す説明図である。
【図３】クーラーボックスが抜取された家庭用冷蔵庫の断面を示す説明図である。
【図４】本発明の家庭用冷蔵庫に装着されるクーラーボックスを示す説明図である。
【図５】従来技術を示す説明図である。
【符号の説明】
１  製氷室
２  冷蔵庫本体
３、３Ｘ  クーラーボックス
４  収納部
５  アルミニウム板
６  畜冷剤
７  送風ファン
８  冷風
９  蓋収納部
１０  蓋
１１Ｌ、１１Ｒ  蓋収納溝
１２  クーラーボックス収納部
１３  蓋部材
２１  熱電素子
１００  家庭用冷蔵庫
【図１】
2004286332.tif 000003
【図２】
2004286332.tif 000004
【図３】
2004286332.tif 000005
【図４】
2004286332.tif 000006
【図５】
2004286332.tif 000007